(57)【要約】【課題】建物壁面と竪樋との間にできる隙間をなくすため、竪樋を建物壁面に直付け状に取付け、水漏れが生じない構造として竪樋の取付け施工を簡易にするとともに意匠的外観美を追求した竪樋を提供する。【解決手段】直付けする板状の竪樋保持体１１と略筒状竪樋本体２１との２分割で構成する竪樋であって、長手方向両端側辺に設ける嵌合部１２ａ、１２ｂ、と被嵌合部２２ａ、２２ｂをそれぞれに嵌め合せて一体化する竪樋の構造とし、略筒状竪樋本体２１の断面略筒部２４を雨水の流水専有路とすることで水漏れを阻止し、竪樋断面略筒状の形状は丸形状、三角形状、四角形状および多角形筒状或いはこれらの筒形状をアレンジした変形筒形状を可能として建物に協調する竪樋の構造とする。【選択図】図１
2008223451.tif 000002
【特許請求の範囲】
【請求項１】
板状の竪樋保持体と略筒状竪樋体で構成する竪樋において、竪樋保持体または略筒状竪樋体の長手方向両側辺に嵌合部または被嵌合部をそれぞれに形成して設け、該嵌合部と被嵌合部を嵌めあわせて一体化するのを特徴とする竪樋の構造。
【請求項２】
略筒状竪樋体を雨水の流水路として専有することで竪樋保持体に設ける固定孔部への雨水侵入を阻止するのを特徴とした請求項１に記載の竪樋の構造。
【請求項３】
略筒状竪樋体の筒状断面の形状は丸形状、三角形状、四角および多角形状或いはこれらの形状をアレンジした変形形状を可能として完成する請求項１及び請求項２に記載の竪樋の構造。
【請求項４】
支持金具を不要としてシンプル性を高め、外観状を壁面に張付状に取付けるのを特徴とした請求項１、請求項２及び請求項３に記載の竪樋の構造。
【発明の詳細な説明】
【技術分野】
【０００１】  本発明は竪樋を建物壁面に直付け状に取付け、竪樋の取付け施工を簡易にするとともに、意匠的外観美を追求するための竪樋の構造に関する。
【背景技術】
【０００２】  従来の竪樋は円筒形状或いは四角筒形状としているが、いずれも支持金具を一定の間隔で壁面に取付け該支持金具に竪樋は保持固定され、壁面と竪樋間に隙間をあけて取付けられている。【０００３】  しかし、これらの竪樋は支持金具の取付け位置の寸法出しなどその他いろいろと施工に手間を要するため煩わしい作業とされており、さらに竪樋に吹き付ける雨や場合によっては竪樋の継ぎ目から溢れた雨水が支持金具を伝って建物壁面に沁み込みその結果壁面を変色させたり或いは腐食に至るなどの欠点があった。【０００４】  又、先行出願に取付け施工を容易にすることを目的として二分割されて係合一体とする竪樋で、建物壁面に直付けするものがある。例えば図６（Ａ）実開平６−６７６１８、や図６（Ｂ）特開平１０−１８３９０９などが公報に記載されている。【０００５】  これらの竪樋は建物壁面に板状の建物側樋体１を固定し、該建物側樋体１に前方樋体２を係合固定して一体とするものであり、取付け状態の外観は本発明の建物壁面に直付け状に取付ける竪樋と類似するが、相違点は以下の通りである。【０００６】  即ち上記先行出願の前方樋体２はどちらも断面略コ字方に形成されているため係合一体とした場合、建物側樋体１に設ける固定孔部は雨水の流水路の面となり、固定穴部自体が漏水を生じる原因となり得る。特に図６（Ｂ）で示す特開平１０−１８３９０９においては係合部３と係合部４との間に止水材５を具備しているものの、建物側樋体１に種々の打ち込み固定片を適合させるとして形状の異なる複数の固定孔６を設けているために、不要の固定孔部から雨水が漏れ出て壁面を濡らし年月の経過とともに建物に影響を及ぼすと推測される大きな欠点をもっている。
【発明の開示】
【発明が解決しようとする課題】
【０００７】  本発明は、上記の水漏れが生じる構造の問題点を解決し取付け施工を簡易にするとともに、意匠的外観美を追求するための竪樋を提供することにある。
【課題を解決するための手段】
【０００８】  本発明は、建物の外壁に直付けする板状の竪樋保持体と略筒状竪樋本体で構成する竪樋であって、竪樋保持体または略筒状竪樋本体の長手方向両側面に嵌合部または被嵌合部をそれぞれに形成して設け、嵌合部と被嵌合部を嵌め合せて一体化するのを特徴とする請求項１に記載の竪樋の構造とする。【０００９】  略筒状竪樋本体の断面略筒部を雨水の流水路として専有することで竪樋保持体に設ける固定孔部への雨水侵入を阻止するのを特徴とした請求項２に記載の竪樋の構造とする。【００１０】  略筒状竪樋本体の断面略筒状の形状は丸形状、三角形状、四角および多角形状或いはこれらの形状をアレンジした変形形状を可能として形成するのを特徴とした請求項３に記載の竪樋の構造とする。【００１１】  竪樋保持体を建物壁面に直付けして一体化させる竪樋であるため取付け施工が簡易になり、外観状においても取付け用支持金具を不要として意匠的美観を高め、シンプルなデザインを特徴とした請求項４に記載の竪樋の構造とする。
【発明の効果】
【００１２】  建物の外壁に直付けする板状の竪樋保持体と略筒状竪樋本体で構成し、断面略筒部を雨水の流水路として専有するため、竪樋保持体側に雨水の浸入はなく、該竪樋保持体に設ける固定孔部から壁面への漏水を完全に防止する。【００１３】  竪樋保持体への漏水を防止することは、壁面固定に使用する固定具即ちビス、アンカーボルト、リベットなどの耐久性も高まり且安全性に優れた竪樋となる。【００１４】  筒状の一体成型技術は従来完成された製造工法を採用するものであり、略筒状竪樋本体の断面略筒部の形状を丸形状、三角形状、四角および多角形状或いはこれらの形状をアレンジした変形筒状形で種々のパターンで製品化できるため建物にマッチしたデザインの竪樋を選択できる。【００１５】  上記筒状の一体成型は長尺寸法仕上げを可能としているため、継手箇所を極力少なくする長尺設計とすることでより強度を高めた竪樋とする事ができる。【００１６】  取付け側とする竪樋保持体は略筒状竪樋本体の断面形状のデザインが変っても、或いは排水量の差異による略断面筒状経の大小に係わらず嵌合部または被嵌合部は規定形状のままで対応することでコスト面での特別な負担を考えなくて良い。【００１７】  竪樋と壁面に隙間を作る取付け支持金具を不要としているため、取付け施工法も簡略化できて手間も省けりシンプルな仕上がりを特徴として建物に協調した美的効果とともに意匠的要素が高い竪樋の提供ができる。【００１８】  それに、直付け状に壁面に取付けているため指の掛かる隙間もなく、竪樋を伝って上階へ登り上がることは不可能であり防犯対策としての効果がある。
【発明を実施するための最良の形態】
【実施例１】
【００１９】  本発明の実施の形態を図面に従い以下説明する。【００２０】  図１は、本発明の実施例１とする竪樋保持体１１と略筒状竪樋本体２１とを示す部分斜視図であり。図２（Ａ）は、本発明の竪樋保持体１１に設ける竪樋嵌合部１２ａ、１２ｂ、と略筒状竪樋本体２１に設ける被嵌合部２２ａ、２２ｂの断面図、図２（Ｂ）は、竪樋嵌合部１２ａ、１２ｂ、と被嵌合部２２ａ、２２ｂの嵌め合わせ状態を示す断面図である。図３（Ａ）〜（Ｃ）は略筒状竪樋本体の構造例を示したもので各々が形状の異なる断面の実施例を示す断面図である。【００２１】  本発明の実施例１とする竪樋は図１に示す通り、竪樋保持体１１と略筒状竪樋本体２１の二つに分割する構造で形成する。【００２２】  竪樋保持体１１は板状の長尺寸法としてフラット面とする背面側１１ａを建物壁面に直付け状で密着固定するものである。【００２３】  又長手方向両端側辺に竪樋嵌合部１２ａ、１２ｂ、を立ち上げて全体を断面略コ字型に形成し、該竪樋嵌合部１２ａ、１２ｂの先端に突出部１３ａ、１３ｂを外方向へ向けて設ける。さらに背面側１１ａ中央に固定孔１４を縦方向に列して複数箇所寸法に準じて設ける。【００２４】  本発明実施例１の略筒状竪樋本体２１の中空とする筒部２４の形状は図１で示す通り、正面辺２１ａと平行する背面辺２１ｂの２面をフラット面として、正面辺幅寸を背面辺幅寸より短く、両側面辺２１ｃ、２１ｄをやや湾曲させた四辺面を一体で形成する変形略筒状型としている、そして両側面辺２１ｃ、２１ｄの延長上を突出させ被嵌合部２２ａ、２２ｂとして形成し、該突出した被嵌合部内側に窪み２３ａ、２３ｂを設ける。【００２５】  即ち図２（Ａ）（Ｂ）で示す通り、竪樋嵌合部１２ａ、１２ｂの先端突出部１３ａ、１３ｂが被嵌合部２２ａ、２２ｂの窪み２３ａ、２３ｂに嵌め込まれて一体化される構造とする。【００２６】  本発明ではこのように略筒状竪樋本体２１の筒部２４を雨水の流水路として専有するため、竪樋保持体１１側に雨水の浸入はなく、該竪樋保持体１１に設ける固定孔１４による壁面への沁み込みや漏水を防止し、故にビス、アンカーボルト、リベットなどの壁面固定に使用する固定具の腐食を防止するため耐久性も高まり且安全性に優れた竪樋となる。【００２７】  竪樋保持体１１の建物壁面への固定方法は、固定孔１４を利用して、アンカーボルト、リベットなどの固定具を打ち込んで固定する。固定孔１４の寸法径は一般に採用度の高い固定具の基準値であれば建物に適合した固定具が利用できる。万一ビス止めなどで固定孔１４の寸法径が大きすぎる場合は、ワッシャー等や補促板を介して絞め込めば良い。【００２８】  このように竪樋保持体１１を建物壁面へ直付け密着固定した後、該竪樋保持体１１に略筒状竪樋本体２１を正面からカバーする状態で嵌め合わせて一体化するので、従来の取付け支持具を不要とするとともに取付け支持具を固定する位置決めの寸法出し等の手間も省け施工が簡易になるのである。【００２９】  本発明の略筒状竪樋本体２１は一体成型するものであり、略筒状竪樋本体の筒状断面の形状は丸形状、三角形状、四角および多角形状或いはこれらの形状をアレンジした変形形状で製品化できるものであり技術的に完成されて��る。【００３０】  例えば図３で示す（Ａ）四角形状、（Ｂ）丸型形状（Ｃ）三角形状など他にもいろいろなデザインが自由であり、当然本発明の略筒状竪樋本体２１に採用するものとする。【００３１】  そこで長尺寸法の筒状で種々のパターンを製品化することを可能とし、継手箇所を極力少なく意匠的要素を充分に考慮して建物にマッチした竪樋の提供も期待できる。【００３２】  又、建物壁面に取付け側とする竪樋保持体１１は略筒状竪樋本体２１の筒状断面の形状が変っても、或いは排水量の差異による筒状経の大小に係わらず嵌合部１２ａ、１２ｂまたは被嵌合部２２ａ、２２ｂは規格寸法として合致対応することでコスト面での経済的負担がない。
【実施例２】
【００３３】  本発明の実施例２は竪樋保持体３１と略筒状竪樋本体４１を一体化させる方法に関する事例の一つとして記述するものである。【００３４】  図４は本発明の実施例２の構造を示す斜視図であり、図５（Ａ）は本発明の実施例２とする係合部または被係合部を示す断面図であり、図４（Ｂ）はその係合一体化した状態を示す断面図である。【００３５】  図４で示す本発明の実施例２では、建物壁面に取付ける竪樋保持体３１の長手方向両端側辺に竪樋係合部３２ａ、３２ｂを立ち上げて断面略コ字型に形成し、竪樋係合部３２ａ、３２ｂに複数のビス固定孔３３を長手方向に列して設ける。【００３６】  略筒状竪樋本体４１は変形四角形状としているが、該略筒状竪樋本体４１のフラット背面のやや内側に位置して長手方向に被係合部４２ａ、４２ｂを立ち上げて断面略コ字型に形成し、被係合部４２ａ、４２ｂに複数のビス固定孔４３を長手方向に列し寸法に準じて設ける。【００３７】  即ち、実施例１では竪樋嵌合部１２ａ、１２ｂの先端に突出部１３ａ、１３ｂが被嵌合部２２ａ、２２ｂの窪み２３ａ、２３ｂに嵌め込まれて一体化される構造としたが、本実施例２では嵌合する突出部をなくしている。【００３８】  本発明の実施例２では、建物壁面に取付ける竪樋保持体３１を建物壁面に固定孔１４を使い密着固定させ、竪樋保持体３１の竪樋係合部３２ａ、３２ｂと略筒状竪樋本体４１の被係合部４２ａ、４２ｂに設けるビス固定孔３３、４３を合致させる。【００３９】  図５（Ａ）、（Ｂ）の断面図で示すように竪樋保合部３２ａ、３２ｂと被係合部４２ａ、４２ｂを重ね合わせ状に係合一体化し、ビス固定孔３３、４３にステンレスビス４４等を用いビス留め固定し一体化する構造としたものである。【００４０】  この実施例２では壁面と略筒状竪樋本体４１の壁側両側面にビス留め目隠しの為の隙間４５をつくることになるが、隙間４５の入り込み寸法が５ｍｍ程度の微小であるため指が掛かることはない。しかし必要に応じて隙間に目張りをすることもできる。【００４１】  又上記の実施例１または実施例２で示す竪樋の素材はステンレスやアクリル系樹脂等を採用し、表面処理を鏡面やヘアーライン仕上げ或いは焼き付け塗装加工、または耐光性を有する樹脂塗料による皮膜処理などですべての色調に対応できるものとする。
【図面の簡単な説明】
【図１】本発明の実施例の一つとする竪樋の構造を示す部分斜視図である。
【図２】（Ａ）は竪樋嵌合部と被嵌合部の断面図、（Ｂ）は、竪樋嵌合部と被嵌合部の嵌め合わせ一体化した状態を示す断面図である。
【図３】（Ａ）〜（Ｃ）は略筒状竪樋本体の略筒状断面の異なる構造例を示す断面図である。
【図４】本発明の実施例２とする斜視図である。
【図５】（Ａ）は係合部または被係合部を示す断面図であり、（Ｂ）係合一体化した状態を示す断面図である。
【図６】（Ａ）、（Ｂ）は従来公知された竪樋図面のコピーである。
【符号の説明】
１１、３１、      竪樋保持体
１１ａ、          背面側
１２ａ、１２ｂ、  竪樋嵌合部
１３ａ、１３ｂ    突出部
１４、            固定孔
２１、４１、      略筒状竪樋本体
２１ａ、          正面辺
２１ｂ、          背面辺
２１ｃ、２２ｄ、  両側面辺
２２ａ、２２ｂ    被嵌合部
２３ａ、２３ｂ、  窪み
２４、            筒部
３２ａ、３２ｂ、  竪樋係合部
４２ａ、４２ｂ、  被係合部
３３、４３、      ビス固定孔
４４              ステンレスビス
４５、            隙間
【図１】
2008223451.tif 000003
【図２】
2008223451.tif 000004
【図３】
2008223451.tif 000005
【図４】
2008223451.tif 000006
【図５】
2008223451.tif 000007
【図６】
2008223451.tif 000008